(57)【要約】      （修正有）【課題】飾り付けなどの加工が容易な織物を提供する。【解決手段】織物を構成する縦糸、横糸の少なくとも一方に弛み、浮かせて縦糸、横糸が交差する部分の一部の織物に疎密な変化を与える。糸寄せ、切断、糸抜き、複数糸の減糸などの処置を施して織物の一部に透視部分を設け、この透視の部分から内部に装飾糸や装飾物を差し込む。【選択図】図１
0003177353.tif 000002
【実用新案登録請求の範囲】
【請求項１】
織物を構成する縦糸、横糸の一部に適当な疎密をもたせ、縦糸、横糸の少なくともいずれかには箔糸、天然繊維糸、合成繊維糸の複糸あるいは単糸を使用し、整経の段階で同間隔に並んだ糸から複数の糸を除いて透けた縦筋や筋を作り、横糸は杼を空打ちして透けた横筋や筋を作り、縦糸、横糸の少なくとも一方にはゆるみ、浮かせがあり、その部分の少なくとも一方の糸を糸寄せ、切断、糸抜き、複糸を減糸にすることのいずれかの処理で、透けた部分に装飾物を中に入れたり裏面に接着すること、織物に糸、異なる糸や飾り糸などを縦横あるいは自由に線状あるいは点状の状態を表現して表面あるいは裏面から織物に差し込むことや、縦横の交叉する織物の糸間に差し込みもできる疎密の部分を形成した織物。
【考案の詳細な説明】
【技術分野】
【０００１】  本考案は、縦糸と横糸が適当な間隔をおいて交叉する疎密な織物で、後の飾り付けなどの加工が安易に出来る織物に関するものである。
【背景技術】
【０００２】  これまでの織物組織で縦糸又は横糸に適当な疎密を持たせるとともに、用いる糸として箔糸、金糸、天然繊維糸、合成繊維糸を単糸又は複糸として使用することは、知られている。【０００３】  しかし従来の織物は、糸相互間に設計通りの規則正しさと、緻密さ、疵のない美しさを求めていたために、後加工としての飾り付けなどを施すことは容易でなかった。
【考案の概要】
【考案で解決しようとする課題】
【０００４】  本考案は、縦糸と横糸が疎密に交差する織物であって、絵画のカンバス生地も兼ねて、織物の組織に容易に手を加えることができ、しかも独創性に優れた織物作品を可能にすることを目的としたものである。
【課題を解決する為の手段】
【０００５】  そのため本考案では、上記の目的を達成するために、これまでの設計通りの規則正しさと、疵のない美しさを追及した織物から、縦糸を整える、いわゆる整経の段階で同間隔に並んだ糸から複数の糸を除いて縦筋もしくは透けた筋を出し、横糸は杼を空打ちして横筋もしくは透けた筋を作る。縦糸と横糸の両糸が、適当な状態で疎密に交叉する部分を持ち、少なくとも一部の縦糸、横糸に器具や手で糸間隔を適宜広げ、糸や異なる糸、飾り糸を縦横あるいは点状もしくは線状の状態を織物の表面からあるいは裏面からあるいは糸間からも差し込む事の出来る織物として、縦糸、横糸の上下左右の一部分に、糸寄せ、糸の一部切断、糸抜き、複数糸の減糸、のいずれかの処理を施して、糸の疎密を作る構造の織物である。
【０００６】  さらに詳しくは、縦糸の一部分を浮かせる、あるいは横糸の一部分を浮かせるなどするか、織物端部に耳部を作ることにより、疎にする部分の糸を摘み易くして糸の引き抜き、あるいは糸の切断を容易にしたものである。加えて複糸から一部の糸を引き抜きや減糸等の作業を安易にし、糸や異なる糸、飾り糸を差し込み易くする等、適当な状態で疎密に交叉する部分を持った織物とし、複数糸の減糸や糸の切断さらに糸寄せで透けた織物部分の現出が可能になったため、他の装飾物を織物の中に差し入れたり接着することで、多面的な作品が作り出せるものである。
【考案の実地するための形態】
【０００７】  以下、図面に従って本考案を説明する。
図中、１は縦糸。２は横糸。３は交差する織物のループ状となった端部の耳部で、横糸の一部を抜く作業が安易に出来るように作って減糸部分を取った後の状態である。４は一部の横糸を抜き取った後の状態を表す。５は縦糸を切断した部分を表す。６は横糸の切断部分を表す。７は横糸の一部を一か所に糸寄せた状態を表している。８は縦糸を一か所に糸寄せた状態を表している。９は横糸に差し込まれた糸や飾り糸あるいは異なる糸であって、差し入れた部分の糸密度が密になるようにしたものである。１０は、縦糸に差し込まれた糸や飾り糸あるいは異なる糸であって差し入れた部分の糸密度が密になるようにしたものである。１１は横糸の複糸を糸抜きによって減糸して、透かす効果を持たせた部分である。１２は、縦糸の複糸を糸抜きによって減糸して、透かす効果を持たせた部分である。１３は縦糸を交差する横糸の一部分だけ浮かして減糸あるいは糸の一部を抜き取りや切断が安易に出来る状態を表す。１４は横糸の交差する縦糸の一部分だけ浮かして、減糸あるいは糸の一部を抜き取りや切断が安易に出来る状態を表す。１５は縦糸の一部分を抜いた部分を表す。１６は減糸あるいは糸の一部を抜き取った後、他の異なつた糸や飾り糸を差し込むなどの部分を表す。図２中、２１は糸や異なる糸、飾り糸、を縦横や線あるいは点を表面や裏面からも差し込れた状態を表す。２２は、一部の減糸あるいは糸の切断や糸寄せた織物の糸間より適時装飾物を装着した状態を示している。２３は、いわゆる整経の段階で同間隔に並んだ糸から複数の糸を除いて縦筋もしくは透けた筋を作ることができる。２４は横糸は杼を空打ちして横筋もしくは透けた筋を作ることもできる。
【符号の説明】
【０００８】  １  縦糸。
２  横糸。
３  端部耳部。
４  横糸を抜き取取った部分。
５  縦糸を切断した部分。
６  横糸を切断した部分。
７  横糸を一か所に糸寄せした部分。
８  縦糸を一か所に糸寄せした部分。
９  横糸や糸間に糸、異なる糸、飾り糸を差し込む。
１０  縦糸や糸間に糸、異なる糸、飾り糸を差し込む。
１１  横糸の複数糸を減糸する。
１２  縦糸の複数いとを減糸する。
１３  横糸の一部をを浮かせる。
１４  縦糸を一部分浮かせる。
１５  縦糸の一部を抜いた部分。
１６  糸の一部を抜き取り、異なる糸、装飾糸を織物に差し込む部分。
２１  糸や異なる糸、飾り糸を縦横は決めずに表裏から織物に差し込む。
２２  透けた部分に異なる糸や飾り物を装着した状態。
２３  整経の段階で並んだ縦糸から複数を除き透けた筋や縦筋を作る。
２４  横糸は杼を空打ちして透けた筋や横筋を作る。
【図１】
0003177353.tif 000003
【図２】
0003177353.tif 000004
【手続補正書】
【提出日】平成24年6月7日(2012.6.7)
【手続補正１】
【補正対象書類名】明細書
【補正対象項目名】全文
【補正方法】変更
【補正の内容】
【考案の詳細な説明】
【技術分野】
【０００１】  本考案は、縦糸と横糸が適当な間隔をおいて交叉する疎密な織物で、後の飾り付けなどの加工が安易に出来る織物に関するものである。
【背景技術】
【０００２】  これまでの織物組織で縦糸又は横糸に適当な疎密を持たせるとともに、用いる糸として箔糸、金糸、天然繊維糸、合成繊維糸を単糸又は複糸として使用することは、知られている。【０００３】  しかし従来の織物は、糸相互間に設計通りの規則正しさと、緻密さ、疵のない美しさを求めていたために、後加工としての飾り付けなどを施すことは容易でなかった。
【考案の概要】
【考案で解決しようとする課題】
【０００４】  本考案は、縦糸と横糸が疎密に交差する織物であって、絵画のカンバス生地も兼ねて、織物の組織に容易に手を加えることができ、しかも独創性に優れた織物作品を可能にすることを目的としたものである。
【課題を解決する為の手段】
【０００５】  そのため本考案では、上記の目的を達成するために、これまでの設計通りの規則正しさと、疵のない美しさを追及した織物から、縦糸を整える、いわゆる整経の段階で同間隔に並んだ糸から複数の糸を除いて縦筋もしくは透けた筋を出し、横糸は杼を空打ちして横筋もしくは透けた筋を作る。縦糸と横糸の両糸が、適当な状態で疎密に交叉する部分を持ち、少なくとも一部の縦糸、横糸に器具や手で糸間隔を適宜広げ、糸や異なる糸、飾り糸を縦横あるいは点状もしくは線状の状態を織物の表面からあるいは裏面からあるいは糸間からも差し込む事の出来る織物として、縦糸、横糸の上下左右の一部分に、糸寄せ、糸の一部切断、糸抜き、複数糸の減糸、のいずれかの処理を施して、糸の疎密を作る構造の織物である。
【０００６】  さらに詳しくは、縦糸の一部分を浮かせる、あるいは横糸の一部分を浮かせるなどするか、織物端部に耳部を作ることにより、疎にする部分の糸を摘み易くして糸の引き抜き、あるいは糸の切断を容易にしたものである。加えて複糸から一部の糸を引き抜きや減糸等の作業を安易にし、糸や異なる糸、飾り糸を差し込み易くする等、適当な状態で疎密に交叉する部分を持った織物とし、複数糸の減糸や糸の切断さらに糸寄せで透けた織物部分の現出が可能になったため、他の装飾物を織物の中に差し入れたり接着することで、多面的な作品が作り出せるものである。
【考案の実地するための形態】
【０００７】  以下、図面に従って本考案を説明する。
図中、１は縦糸。２は横糸。３は交差する織物のループ状となった端部の耳部で、横糸の一部を抜く作業が安易に出来るように作って減糸部分を取った後の状態である。４は一部の横糸を抜き取った後の状態を表す。５は縦糸を切断した部分を表す。６は横糸の切断部分を表す。７は横糸の一部を一か所に糸寄せた状態を表している。８は縦糸を一か所に糸寄せた状態を表している。９は横糸に差し込まれた糸や飾り糸あるいは異なる糸であって、差し入れた部分の糸密度が密になるようにしたものである。１０は、縦糸に差し込まれた糸や飾り糸あるいは異なる糸であって差し入れた部分の糸密度が密になるようにしたものである。１１は横糸の複糸を糸抜きによって減糸して、透かす効果を持たせた部分である。１２は、縦糸の複糸を糸抜きによって減糸して、透かす効果を持たせた部分である。１３は縦糸を交差する横糸の一部分だけ浮かして減糸あるいは糸の一部を抜き取りや切断が安易に出来る状態を表す。１４は横糸の交差する縦糸の一部分だけ浮かして、減糸あるいは糸の一部を抜き取りや切断が安易に出来る状態を表す。１５は縦糸の一部分を抜いた部分を表す。１６は減糸あるいは糸の一部を抜き取った後、他の異なつた糸や飾り糸を差し込むなどの部分を表す。図２、２１は糸や異なる糸、飾り糸、を縦横や線あるいは点を表面や裏面からも差し込れた状態を表す。２２は、一部の減糸あるいは糸の切断や糸寄せた織物の糸間より適時装飾物を装着した状態を示している。２３は、いわゆる整経の段階で同間隔に並んだ糸から複数の糸を除いて縦筋もしくは透けた筋を作ることができる。２４は横糸は杼を空打ちして横筋もしくは透けた筋を作ることもできる。
【図面の簡単な説明】
【０００８】
【図１】織物組織図
【図２】織物組織図
【符号の説明】
【０００９】        ［図１］
１    縦糸。
２    横糸。
３    端部耳部。
４    横糸を抜き取った部分。
５    縦糸を切断した部分。
６    横糸を切断した部分。
７    横糸を一か所に糸寄せした部分。
８    縦糸を一か所に糸寄せした部分。
９    横糸や糸間に糸、異なる糸、飾り糸を差し込む。
１０    縦糸や糸間に糸、異なる糸、飾り糸を差し込む。
１１    横糸の複数糸を減糸する。
１２    縦糸の複数糸を減糸する。
１３    横糸の一部を浮かせる。
１４    縦糸を一部分浮かせる。
１５    縦糸の一部を抜いた部分。
１６    糸の一部を抜き取り、異なる糸、装飾糸を織物に差し込む部分。
［図２］
２１    糸や異なる糸、飾り糸を縦横は決めずに表裏から織物に差し込む。
２２    透けた部分に異なる糸や飾り物を装着した状態。
２３    整経の段階で並んだ縦糸から複数を除き透けた筋や縦筋を作る。
２４    横糸は杼を空打ちして透けた筋や横筋を作る。